(57)【特許請求の範囲】
【請求項１】
上面に火袋吊り具を突設し、下面に複数本の脚体を突設するための連結基材を具えた提灯用台座において、前記連結基材の下面にはこの連結基材の上方外側に向けて穿設された、前記脚体を取付るための複数個の凹部が設けられ、前記脚体の上端部には前記連結基材の凹部に挿入する凸部が設けられ、前記連結基材の凹部と前記脚体の凸部は挿入時に間隙が生じる用に形成され、前記連結基材の凹部に前記脚体の凸部を挿入すると、前記脚体は前記連結基材の中心方向に向かってやや斜めに遊嵌され、前記脚体の内側面には穿孔が形成され、前記脚体の内側面の穿孔に脚固定用部材の先端部を挿入することにより、前記複数本の脚体が前記連結基材の下面の凹部を基点として拡開し、前記脚体の凸部の先端周辺部分と前記連結基材の凹部の行き止まり部分又は凹部の側面部分と、前記脚体の凸部の付け根周辺部分と連結基材の凹部入り口周辺外周方向部分とが、対角対向位置において係合固定されることを特徴とする、提灯用台座。
【請求項２】
上面に火袋吊り具を突設し、下面に脚体を突設するための連結基材を具えた提灯用台座において、火袋吊り具は雲手と一対の支持柱とからなり、前記連結基材の上面にはこの連結基材の下方内側に向けて穿設された、前記一対の支持柱を取付るための一対の凹部が設けられており、前記支持柱の下端部には前記連結基材の凹部に挿入する凸部が設けられ、前記連結基材の凹部と前記支持柱の凸部は挿入時に間隙が生じるように形成され、前記連結基材の凹部に前記一対の支持柱の凸部を挿入すると、前記一対の支持柱は連結基材の外周方向に向かってやや斜めに遊嵌され、前記一対の支持柱の上端外側面に穿孔が形成され、前記一対の支持柱の上端外側面の穿孔に雲手の係止突起を挿入することにより、前記一対の支持柱が前記連結基材の上面の凹部を基点として狭閉し、前記支持柱の凸部の先端周辺部分と前記連結基材の凹部の行き止まり部分又は凹部の側面部分と、前記支持柱の凸部の付け根周辺部分と前記連結基材の凹部入り口周辺内側部分とが、対角対向位置において係合固定されることを特徴とする、請求項１記載の提灯用台座。
【請求項３】
連結基材の下面に突設される脚体の内側面に形成される穿孔の内底部には、弾性体が固着され、この弾性体に脚固定用部材の先端部が当接することを特徴とする、請求項１記載の提灯用台座。
【発明の詳細な説明】
【０００１】
【発明の属する技術分野】
本発明は、お盆用、納涼用、装飾用、照明用等に使用される、提灯の台座に関する技術である。更に詳しくは、提灯用台座の製造工程を容易にし、且つこれを安価に提供し、又、使用者においても、提灯台座の組み立て及び分解の作業が容易であること。そして、提灯用台座の組み立て及び分解の作業時に、提灯用台座の各部材を破損することなく、これらの作業を繰り返し行っても、十分な組み立て強度を確保することのできる、提灯用台座に関する技術である。
【０００２】
【従来技術】
お盆用、納涼用、装飾用、照明用等に使用される提灯の提灯用台座は、一般的に、使用者が必要に応じて組み立てをし、不要時には分解して収納できるように構成されている。
【０００３】
その構成は、提灯用台座の各部材に凹部又は凸部を形成して、提灯用台座の各部材に形成された、凹部に凸部を圧入して組み立て、又は圧入することにより十分な組み立て強度を確保するものである。
【０００４】
提灯用台座は木材で形成することが多く、提灯用台座の十分な組み立て強度を確保するため、提灯用台座の各部材に形成される凹部と凸部は、寸分違わぬ寸法で形成される。しかし、このように凹部と凸部を形成すると、木材は気温又は湿度の変化により膨張及び収縮をし、更に、木材は使用した部位によっても膨張及び収縮の割合が異なるため、凹部に凸部を挿入することができない、或いは、凹部から凸部を引き抜くことができないという問題が生じ、これを無理に挿入し又は引き抜こうとすると、凹部又は凸部に負荷を掛け、これを損壊するという問題が生じる。
【０００５】
逆に、提灯用台座の各部材の凹部又は凸部の損壊を防止するため、或いは、木材の膨張及び収縮を考慮して、提灯用台座の各部材の凹部又は凸部に、遊びを持たせて形成すると、凹部が拡張して凸部収縮した場合等は、凹部に凸部を挿入しても、両者間に隙間が生じてすぐ抜けてしまい、提灯用台座の十分な組み立て強度を確保することができないという問題が生じる。
【０００６】
このような問題を解決するため、従来用いられる技術には、第一に、特開平８−２１２８０８号公報記載の発明のように、提灯用台座の各部材を螺合又は回動操作させることにより固定し、提灯用台座の組み立て又は分解作業による各部材の破損を防ぎ、提灯用台座の組み立て強度を確保するものが見受けられるが、これらは、提灯用台座の製造工程を煩雑にするという問題、製造コストが上がるという問題、又、使用者においても、組み立て及び分解作業が煩雑になるという、幾つかの新たな問題が生じている。
【０００７】
第二に、特開平８−８３５０４号公報記載の発明のように、提灯用台座の各部材の凹部又は凸部の一方又は双方に、弾性作用を有するゴム、合成樹脂等を取り付けて、提灯用台座の組み立て又は分解作業による各部材の損壊を防ぎ、且つ、弾性作用を有するゴム、合成樹脂等の摩擦抵抗を利用して、提灯用台座の組み立て強度を確保するものが見受けられる。しかし、これも提灯用台座の製造工程を煩雑にするという問題、製造コストが上げるという問題が生じている。又、提灯用台座の組み立て強度の確保のために、凹部及び凸部に取り付けられたゴム、合成樹脂等の摩擦抵抗を利用しているため、提灯用台座の組み立て及び分解作業の繰り返しによりゴム、合成樹脂等が脱落、損壊してその作用を果たし得ないという問題も生ずる。
【０００８】
そして、この従来の技術の中には、特開平１１−２１３７０８号公報記載の発明のように、提灯用台座の各部材の凹部及び凸部に、弾性作用のみならず、摩擦係数が少ない様々なゴム、合成樹脂等を取り付け、提灯用台座の各部材の凹部の開口部は凸部よりやや広く形成し、更に、凹部に取り付けられるゴム、合成樹脂等は凹部入り口部に向かってすぼまる様に成型したものであって、その上、これらのゴム、合成樹脂等を釘着しているものが見受けられる。これにより、凹部への凸部の挿入性を向上させつつ、提灯用台座の十分な組み立て強度を確保し、提灯用台座の組み立て及び分解作業の繰り返しによる各部材の損壊及びゴム、合成樹脂等の脱落及び損壊を防止しているものである。しかし、これら従来の技術は、結局のところ、提灯用台座の製造工程を煩雑にするという問題、製造コストが上がるという問題を解決することはできない。
【０００９】
【発明が解決しようとする課題】
本発明は、上述した従来技術の問題を克服することを課題として成されたものであり、提灯用台座の製造工程を容易にし、且つこれを安価に提供し、又、使用者においても、提灯台座の組み立て及び分解の作業が容易であること。そして、提灯用台座の組み立て及び分解の作業時に、提灯用台座の各部材を破損することなく、これらの作業を繰り返し行っても、十分な組み立て強度を確保することのできる、提灯用台座を提供することである。
【００１０】
本発明は、上述した課題を解決するための手段として、上面に火袋吊り具を突設し、下面に複数本の脚体を突設するための連結基材を具えた提灯用台座において、前記連結基材の下面にはこの連結基材の上方外側に向けて穿設された、前記脚体を取付るための複数個の凹部が設けられ、前記脚体の上端部には前記連結基材の凹部に挿入する凸部が設けられ、前記連結基材の凹部と前記脚体の凸部は挿入時に間隙が生じる用に形成され、前記連結基材の凹部に前記脚体の凸部を挿入すると、前記脚体は前記連結基材の中心方向に向かってやや斜めに遊嵌され、前記脚体の内側面には穿孔が形成され、前記脚体の内側面の穿孔に脚固定用部材の先端部を挿入することにより、前記複数本の脚体が前記連結基材の下面の凹部を基点として拡開し、前記脚体の凸部の先端周辺部分と前記連結基材の凹部の行き止まり部分又は凹部の側面部分と、前記脚体の凸部の付け根周辺部分と連結基材の凹部入り口周辺外周方向部分とが、対角対向位置において係合固定されることを特徴とした。
【００１１】
次に、上面に火袋吊り具を突設し、下面に脚体を突設するための連結基材を具えた提灯用台座において、火袋吊り具は雲手と一対の支持柱とからなり、前記連結基材の上面にはこの連結基材の下方内側に向けて穿設された、前記一対の支持柱を取付るための一対の凹部が設けられており、前記支持柱の下端部には前記連結基材の凹部に挿入する凸部が設けられ、前記連結基材の凹部と前記支持柱の凸部は挿入時に間隙が生じるように形成され、前記連結基材の凹部に前記一対の支持柱の凸部を挿入すると、前記一対の支持柱は連結基材の外周方向に向かってやや斜めに遊嵌され、前記一対の支持柱の上端外側面に穿孔が形成され、前記一対の支持柱の上端外側面の穿孔に雲手の係止突起を挿入することにより、前記一対の支持柱が前記連結基材の上面の凹部を基点として狭閉し、前記支持柱の凸部の先端周辺部分と前記連結基材の凹部の行き止まり部分又は凹部の側面部分と、前記支持柱の凸部の付け根周辺部分と前記連結基材の凹部入り口周辺内側部分とが、対角対向位置において係合固定されることを特徴とした。
【００１２】
そして、連結基材の下面に突設される脚体の内側面に形成される穿孔の内底部には、弾性体が固着され、この弾性体に脚固定用部材の先端部が当接することを特徴とした。
【００１３】
【発明の実施の形態】
本発明の実施の形態を添付図面を用いて説明する。
【００１４】
本発明の提灯用台座は、例えば、提灯用台座のほぼ中心に位置する円形又は多角形、肉厚なもの又は肉薄なもの等、その形状を問わない連結基材と、この連結基材の下面に突設される複数本の脚体と、円形、多角形、棒体等のその形状を問わず、脚体の本数分の先端部を有する脚固定用部材と、この基材の上面に突設される雲手と一対の支持柱から構成される火袋吊り具からなる。
【００１５】
図１は、本発明の提灯用台座３００を組み立てた状態の、一部透視全体図である。
【００１６】
図１が示すように、肉厚な連結基材１００の上下両面には凹部が形成され、この連結基材１００の下面の凹部１１０には脚体１０を突設し、上面の凹部１２０には火袋吊り具２００が突設される。図面に例示した提灯用台座３００は、脚体１０が３本であり、支持柱２０は２本で一対であるが、それぞれ、これに限定されるものでなく、上記以外の本数の脚体又は支持柱を設けてもよい。
【００１７】
図１又は図２に示すように、連結基材１００には、下面に脚体１０を取り付けるための凹部１１０が、例えば図示したように３箇所等の、脚体１０の本数分形成される。この凹部１１０は、連結基材１００の上方外側に向けて、つまり、凹部１１０の行き止まり部分が、凹部１１０の入り口部分より連結基材１００の外周方向に向かって形成される。
【００１８】
図１又は図３に示すように、連結基材１００には、上面に火袋吊り具２００を構成する支持柱２０を取り付けるための凹部１２０が、例えば図示したように２箇所等の、支持柱２０の本数分形成される。この凹部１２０は、連結基材１００の下方内側に向けて、つまり、凹部１２０の行き止まり部分が、凹部１２０の入り口部分より連結基材１００の中心方向に向かって形成される。
【００１９】
図１又は図２が示すように、連結基材１００に突設される各々の脚体１０には、上端部に凸部１１が形成され、この凸部１１は連結基材１００の下面の凹部１１０に挿入される。この際、連結基材１００の下面の凹部１１０へ容易に挿入し又はこれから容易に引き抜くことのできるように、この凹凸間には隙間が生じるように形成される。尚、脚体１０の上端部の凸部１１はわざわざ設ける必要はなく、例えば、棒状に形成された脚体１０の上端部そのものの形状であってもよい。
【００２０】
図１又は図２が示すように、この脚体１０には、連結基材１００の下面の凹部１１０に取り付けた際に内側面となる位置に、脚体１０に組み合わせて使用する、別体の脚固定用部材３０の先端部を挿入するための穿孔１２が形成される。この穿孔１２は、凹形の形状をし、内底部にゴムの弾性体１３が固着されている。尚、このゴムに替えて、合成樹脂、バネ等の弾性体１３を設けてもよい。
【００２１】
図１又は図３の示すように、火袋吊り具２００は、雲手４０と支持柱２０から構成される。図１又は図３の示すように支持柱２０には、下端部に凸部２１が形成され、この凸部２１は連結基材上面の凹部１２０に挿入される。この際、連結基材１００の上面の凹部１２０と容易に挿入し又はこれから容易に引き抜くことができるように、この凹凸間には隙間が生じるように形成される。尚、支持柱２０の下端部の凸部２１はわざわざ設ける必要はなく、支持柱２０の下端部そのものの形状であってもよい。
【００２２】
図１又は図３の示すように、この支持柱２０には、連結基材１００の上面の凹部１２０に取り付けた際の上端外側面となる位置に穿孔２２が形成されている。そして、雲手４０には、左右一対の係止突起４１、４１が、連結基材１００に突接された支持柱２０を狭閉して係合固定させることのできる間隔を設けて形成されている。
【００２３】
連結基材１００に脚体１０を取り付ける際は、連結基材１００の下面に形成された凹部１１０に、脚体１０の凸部１１を挿入する。上述したように、連結基材１００の下面の凹部１１０は、凹部１１０の行き止まり部分が、凹部１１０の入り口部分より外周方向に向かうように形成され、更に、連結基材１００の下面の凹部１１０と脚体の凸部１１とは、隙間を持たせて形成されているため、脚体１０は、連結基材１００の中心方向に向かって、やや斜めに遊嵌される。
【００２４】
所定の本数の脚体１０を全て連結基材１００の下面の凹部１１０に挿入した後、連結基材１００に脚体１０を拡開して係合固定させることのできる、長さ或いは大きさに形成された、脚固定用部材３０の先端を脚体１０の内側に形成された穿孔１２に挿入すると、脚体１０は、脚固定用部材３０に押され、連結基材１００の下面の凹部１１０を基点として、連結基材１００の外周に向かって拡開する。この際、脚体１０の凸部１１の先端周辺部分と連結基材１００の凹部１１０の行き止まり部分又は凹部１１０の側面部分とが、一方、脚体１０の凸部１１の付け根周辺部分と連結基材１００の凹部１１０入り口周辺外周方向部分とが、両者それぞれ対角対向位置Ａ・Ｂにおいて強く圧接し、連結基材１００と脚体１０が全体として強く係合固定される。
【００２５】
そして、脚体１０の穿孔１２の内底部に固着されたゴム、合成樹脂、バネ等の弾性体１３は、脚固定用部材３０を当接して押圧することにより収縮するため、クッション材として作用し、無理なく脚体１０を拡開させることができる。更に、これらゴム、合成樹脂、バネ等の弾性体１３は、脚固定用部材３０を当接して押圧することにより反発し、その反発力を脚固定用部材３０を介して相互の脚体１０に伝達するため、脚体１０の拡開はより確実なものとなり、連結基材１００と脚体１０が容易に脱落することはない。
【００２６】
尚、連結基材１００の下面の凹部１１０の深さ及び脚体１０の凸部１１の長さ、連結基材１００の下面の凹部１１０の上方外側への進入角度及び脚体１０の凸部１１の突出角度、連結基材１００の下面の凹部１１０及び脚体１０の凸部１１の形状、連結基材１００の下面の凹部１１０に脚体１０の凸部１１を挿入した際の凹部１１０と凸部１１の隙間の広狭については、脚体１０を拡開させることによって、連結基材１００に脚体１０を係合固定させることができるものであれば、様々のものを用いることができ、本実施の形態の記載又は図面の記載により限定されるものではない。
【００２７】
本発明の提灯用台座の連結基材１００に火袋吊り具２００を取り付ける際は、連結基材１００の上面に形成された凹部１２０に、火袋吊り具２００を構成する、支持柱２０の下端部の凸部２１を挿入する。上述したように、連結基材１００の上面の凹部１２０は、凹部１２０の行き止まり部分が、凹部１２０の入り口部分より連結基材１００の中心部に向かうように形成され、更に、連結基材１００の上面の凹部１２０と支持柱２０の凸部２１とは隙間を持たせて形成されているため、支持柱２０は、連結基材１００の外周方向に向かって、やや斜めに遊嵌される。
【００２８】
一対の支持柱２０、２０を連結基材１００の上面の凹部１２０に挿入した後、雲手４０を支持柱２０の上端に配置し、更に、雲手４０の係止突起４１を、支持柱２０の上端外側面に形成された穿孔２２に挿入すると、支持柱２０は、雲手４０に挟まれ、連結基材１００の上面の凹部１２０を基点として、連結基材１００の中心部に向かって狭閉する。この際、雲手４０は係止突起４１が支持柱２０の穿孔２２に挿入されて係合固定し、更に、支持柱２０及び連結基材１００は、支持柱２０の凸部２１の先端周辺部分と連結基材１００の凹部１２０の行き止まり部分又は凹部１２０の側面部分とが、且つ、支持柱２０の凸部２１の付け根周辺部分と連結基材１００の凹部１２０入り口周辺内側部分とが、両者それぞれ対角対向位置Ｃ・Ｄにおいて強く圧接し、連結基材１００と支持柱２０とが、つまり、火袋吊り具２００が連結基材１００に強く係合固定されることになる。
【００２９】
尚、連結基材１００の上面の凹部１２０の深さ及び支持柱２０の凸部２１の長さ、連結基材１００の上面の凹部１２０の下方内側への進入角度及び支持柱２０の凸部２１の突出角度、連結基材１００の上面の凹部１２０及び支持柱２０の凸部２１の形状、連結基材１００の上面の凹部１２０に支持柱２０の凸部２１を挿入した際の凹部１２０と凸部２１の隙間の広狭については、支持柱２０を狭閉させることによって、連結基材１００に火袋吊り具２００を係合固定させることができるものであれば、様々なものを用いることができ、本実施の形態の記載又は図面の記載により限定されるものではない。
【００３０】
又、本発明に係る提灯用台座３００は、提灯用台座３００を構成する連結基材１００、脚体１０、脚固定用部材３０、支持柱２０、雲手４０の各部材の形成に、例えば、木材類、金属類、合成樹脂類、プラスチック類等、如何なる材料を用いてもよい。
【００３１】
本発明の提灯用台座３００は、連結基材１００に上記の脚体１０に関する作業により、又火袋吊り具２００に関する作業を行うことにより、組み立て及び分解されるものである。
【００３２】
【発明の効果】
本発明に係る提灯用台座を実施することにより、以下の効果が生ずる。
【００３３】
第１の効果は、本発明に係る提灯用台座は、提灯用台座を構成する各部材に、それぞれ必要な凹部、凸部、穿孔、係止突起のいずれかを形成するのみで組み立て可能である。又、ゴム、合成樹脂、バネ等の弾性体を用いるとしても、少なくともこれらは、脚体の穿孔の内底部に設ければよい。従って、提灯用台座の製造工程を短縮することが可能となり、消費者に提灯用台座を安価に提供することができる。
【００３４】
第２の効果は、本発明に係る提灯用台座の組み立て作業は、連結基材の凹部に、脚体と火袋吊り具の支持柱の凸部を挿入して、脚体を拡開させること及び火袋吊り具の支持柱を狭閉させることのみにより、連結基材に係合固定されて組み立てられる。更に、各部材に設けられる凹部と凸部は、凹部に凸部を挿入した際に、各凹凸間に隙間ができるように形成されている。従って、提灯台座の組み立て作業に、凹部を凸部に圧入する等の力作業は軽減され、又各部材の固定のための螺合、回動等の複雑な作業が不要となり、使用者は、容易に組み立て作業を行うことができる。又、分解作業についても、使用者は、組み立て作業の逆の手順で行うのみであるため、力を入れることなく凹部から凸部を引き抜くことができ、分解のための螺合、回動等の複雑な作業を必要とすることなく、容易に分解作業を行うことができる。
【００３５】
第３の効果は、本発明に係る提灯用台座は、各部材に設けられる凹部に凸部を挿入した際に、各凹凸間に隙間ができるように形成されているため、凹部に凸部が挿入できない、凹部から凸部が引き抜くことができないという問題は起こらない。そのため、本発明に係る提灯用台座は、提灯用台座の組み立て及び分解の作業を無理に行って、各部材の凹部又は凸部に負荷を掛け、各部材の凹部又は凸部を損壊することがない。従って、本発明に係る提灯用台座は、組み立て及び分解作業を繰り返し行っても各部材を損壊することなく、提灯用台座の十分な組み立て強度を長期に恒って確保することができる。
【図面の簡単な説明】
【図１】本発明に係る提灯用台座の一部透視全体図である。
【図２】本発明に係る提灯用台座の連結基材、脚体、脚固定用部材が係合固定された状態を示す一部透視図である。
【図３】本発明に係る提灯用台座の連結基材、支持柱、雲手が係合固定された状態を示す一部透視図である。
【符号の説明】
１０  脚体
１１  凸部
１２  穿孔
１３  弾性体
２０  支持柱
２１  凸部
２２  穿孔
３０  脚固定用部材
４０  雲手
４１  係止突起
１００  連結基材
１１０  凹部
１２０  凹部
２００  火袋吊り具
３００  提灯用台座
【図１】
0004089256.tif 000002
【図２】
0004089256.tif 000003
【図３】
0004089256.tif 000004